(57)【要約】【課題】エレベーターの据付作業を行う際に、その作業効率を大幅に向上させることができるエレベーターの作業床装置を提供する。【解決手段】作業床装置は、かご床１、側面パネル２及び３、乗場側パネル４、天井パネル５、仮設巾木８、仮設手摺を備える。仮設巾木８は、かご床１の奥側縁部に、かご床１の上面から突出するように配置される。仮設手摺は、仮設巾木８の上方に配置され、側面パネル２及び３間に渡って設けられる。かご床１、側面パネル２及び３、乗場側パネル４、天井パネル５は、エレベーターが稼動した後も使用される本設品からなる。また、かご床１の奥側縁部には、本設品である奥側パネルが取り付けられていない。【選択図】図１
2012236674.tif 000002
【特許請求の範囲】
【請求項１】
エレベーターの昇降路内を昇降するとともに、作業者が乗ってエレベーターの据付作業を行うための作業床装置であって、
かご床と、
前記かご床の両側縁部に設けられた側面パネルと、
前記かご床の前側縁部に設けられた乗場側パネルと、
前記かご床の上方に、前記かご床に対向するように設けられた天井パネルと、
前記かご床の奥側縁部に、前記かご床の上面から突出するように配置された仮設巾木と、
前記仮設巾木の上方に配置され、前記側面パネル間に渡って設けられた仮設手摺と、
を備え、
前記かご床、前記両側面パネル、前記乗場側パネル、前記天井パネルは、エレベーターが稼動した後も使用される本設品からなり、
前記かご床の奥側縁部には、本設品である奥側パネルが取り付けられていない
エレベーターの作業床装置。
【請求項２】
前記天井パネルの上方に設けられ、四方を取り囲むように配置された手摺装置と、
を更に備えた請求項１に記載のエレベーターの作業床装置。
【請求項３】
請求項１又は請求項２に記載の作業床装置を使用して、つり合いおもりが昇降路の奥側を昇降するエレベーターを据え付ける据付方法であって、
エレベーターの昇降路内で前記作業床装置を昇降させるための駆動機に、前記作業床装置を接続するステップと、
前記駆動機によって前記作業床装置を前記昇降路の最下部に配置するステップと、
前記作業床装置を前記昇降路の最下部に配置した後、前記作業床装置の奥側に形成された開口からおもりレールの芯出し作業を行うステップと、
を備えたエレベーターの据付方法。
【発明の詳細な説明】
【技術分野】
【０００１】
この発明は、エレベーターの据付作業を行うための作業床装置と、その作業床装置を使用してエレベーターを据え付ける据付方法とに関するものである。
【背景技術】
【０００２】
下記特許文献１には、エレベーターの作業床装置の従来技術が開示されている。
特許文献１に記載のものでは、エレベーターの稼動後に製品として使用されるかご室（本設品）の上面を作業床として使用し、更に、そこに手摺や巾木を設置して、作業員が据付作業を行うための空間を形成している（特に、図２参照）。
【先行技術文献】
【特許文献】
【０００３】
【特許文献１】実開昭５８−１９１１８１号公報
【発明の概要】
【発明が解決しようとする課題】
【０００４】
図３及び図４は、従来の作業床装置（特許文献１に記載のものも含む）を使用してエレベーターの据付作業を行っている時の昇降路内の状態を示す側面図である。
【０００５】
図３及び図４において、１６はつり合いおもり１７（図３及び図４においては図示せず）の昇降を案内するためのおもりレールである。図３は作業員がかご室作業床１９上に乗り、昇降路７の底面から少し離れた位置（高さ）で、おもりレール１６の芯出し作業を行っている時の状態を示している。昇降路７の底面からある程度離れた位置（高さ）であれば、従来の作業床装置を使用しても、何ら問題なく、おもりレール１６の芯出し作業を行うことができる。
【０００６】
しかし、昇降路７の最下部に設置するおもりレール１６の芯出し作業を行う場合、例えば、下から一段目及び二段目のおもりレール１６を芯出しする場合、従来の作業床装置では、かご室作業床１９の床面の位置が高すぎて（芯出し作業を行う位置が低すぎて）、作業を行うことができない。また、作業者が昇降路７の底面に降りても、その作業位置が高すぎて、おもりレール１６の芯出し作業を行うことができない。このため、従来では、昇降路７の底面から仮設の足場２０を組み上げ、作業員は、その足場２０に乗って、一段目及び二段目の芯出しを行っていた（図４参照）。しかし、このような方法では、仮設の足場２０の組立及び解体に時間を要し、作業効率が大幅に低下するといった問題があった。また、足場２０（を構成する各種部材）を一時的に保管する場所も必要になってしまう。
【０００７】
また、一部の据付工法では、エレベーターのつり合いおもり１７と作業床装置とを昇降路７内で釣瓶式に懸架した後に、おもりレール１６の芯出し作業を行っている。かかる場合、昇降路７の中間部付近においてつり合いおもり１７と作業者が重なり、おもりレール１６を固定するためのレールブラケット１８を適切な位置に配置することができないといった問題があった。
【０００８】
図５は従来の作業床装置を使用してエレベーターの据付作業を行っている時の昇降路内の状態を示す側面図であり、つり合いおもり１７がかご室作業床１９上の作業者と同じ高さに配置された状態を示している。図５に示す状態では、つり合いおもり１７が邪魔になり、作業者は、その位置（高さ）で、おもりレール１６の位置を決めてレールブラケット１８を固定することができない。このため、作業者は、図５に示す状態からかご室作業床１９を上昇又は下降させてつり合いおもり１７の位置をずらし、つり合いおもり１７と重ならない位置にレールブラケット１８を設置していた。かかる場合、おもりレール１６の据付精度が悪化する恐れがあった。
【０００９】
この発明は、上述のような課題を解決するためになされたもので、その目的は、エレベーターの据付作業を行う場合に、その作業効率を大幅に向上させることができるエレベーターの作業床装置を提供することである。
また、この発明の他の目的は、つり合いおもりを昇降路内で懸架した後におもりレールの芯出し作業を行う場合であっても、おもりレールを精度良く設置することができるエレベーターの作業床装置を提供することである。
また、この発明の他の目的は、上記作業床装置を使用してエレベーターを据え付ける据付方法を提供することである。
【課題を解決するための手段】
【００１０】
この発明に係るエレベーターの作業床装置は、エレベーターの昇降路内を昇降するとともに、作業者が乗ってエレベーターの据付作業を行うための作業床装置であって、かご床と、かご床の両側縁部に設けられた側面パネルと、かご床の前側縁部に設けられた乗場側パネルと、かご床の上方に、かご床に対向するように設けられた天井パネルと、かご床の奥側縁部に、かご床の上面から突出するように配置された仮設巾木と、仮設巾木の上方に配置され、側面パネル間に渡って設けられた仮設手摺と、を備え、かご床、両側面パネル、乗場側パネル、天井パネルは、エレベーターが稼動した後も使用される本設品からなり、かご床の奥側縁部には、本設品である奥側パネルが取り付けられていないものである。
【００１１】
また、この発明に係るエレベーターの作業床装置は、天井パネルの上方に設けられ、四方を取り囲むように配置された手摺装置と、を更に備えたものである。
【００１２】
この発明に係るエレベーターの据付方法は、上記作業床装置を使用して、つり合いおもりが昇降路の奥側を昇降するエレベーターを据え付ける据付方法であって、エレベーターの昇降路内で作業床装置を昇降させるための駆動機に、作業床装置を接続するステップと、駆動機によって作業床装置を昇降路の最下部に配置するステップと、作業床装置を昇降路の最下部に配置した後、作業床装置の奥側に形成された開口からおもりレールの芯出し作業を行うステップと、を備えたものである。
【発明の効果】
【００１３】
この発明に係るエレベーターの作業床装置を使用することにより、エレベーターの据付作業を行う際に、その作業効率を大幅に向上させることができるようになる。
【図面の簡単な説明】
【００１４】
【図１】この発明の実施の形態１におけるエレベーターの作業床装置を示す斜視図である。
【図２】図１に示す作業床装置を使用してエレベーターの据付作業を行っている時の昇降路内の状態を示す側面図である。
【図３】従来の作業床装置を使用してエレベーターの据付作業を行っている時の昇降路内の状態を示す側面図である。
【図４】従来の作業床装置を使用してエレベーターの据付作業を行っている時の昇降路内の状態を示す側面図である。
【図５】従来の作業床装置を使用してエレベーターの据付作業を行っている時の昇降路内の状態を示す側面図である。
【発明を実施するための形態】
【００１５】
この発明をより詳細に説明するため、添付の図面に従ってこれを説明する。なお、各図中、同一又は相当する部分には同一の符号を付しており、その重複説明は適宜に簡略化ないし省略する。
【００１６】
実施の形態１．
図１はこの発明の実施の形態１におけるエレベーターの作業床装置を示す斜視図である。図１において、１はエレベーターの据付作業時は作業床を、据付作業後はかご室の床部を構成するかご床である。即ち、かご床１は、エレベーターの据付作業が終了してエレベーターが稼動した後も、製品（かご室の一部）として使用される本設品である。
【００１７】
２はかご室の一側の側壁を構成する側面パネル、３はかご室の他側の側壁を構成する側面パネル、４はかご室の前壁（袖壁等）を構成する乗場側パネル、５はかご室の天井を構成する天井パネルである。かご床１に加え、側面パネル２及び３、乗場側パネル４、天井パネル５も、エレベーターが稼動した後も製品として使用される本設品からなる。
【００１８】
側面パネル２は、かご床１の一側縁部に沿って設けられている。側面パネル３は、かご床１の他側縁部に沿って設けられている。乗場側パネル４は、かご床１の前側縁部（乗場側縁部）に沿って設けられている。乗場側パネル４には、エレベーターの据付作業を行う作業者が、建屋と作業床（かご床１）との間を行き来する際に通過するかご出入口（図示せず）が形成されている。天井パネル５は、側面パネル２及び３の各上端部、並びに、乗場側パネル４の上端部に設けられている。天井パネル５は、かご床１の上方に、かご床１に対向するように配置されている。
【００１９】
６は天井パネル５の上方（かご上）に設けられた手摺装置（図１では図示せず）である。手摺装置６は、四方を取り囲むように天井パネル５の縁部に沿って設けられている。手摺装置６が設置されているため、作業者は、かご上においても据付作業を行うことができる。即ち、天井パネル５も、エレベーター据付作業時の作業床を構成する。
【００２０】
このように、本作業床装置は上下二段に作業領域を形成し、下方の作業領域の上下、左右、前を、本設品からなる部材によって囲んでいる。これに対し、かご床１の奥側縁部には、本設品である奥側パネル（図示せず）が取り付けられていない。このため、作業床装置の奥側には、かご床１及び天井パネル５の各奥側縁部によって上下が、側面パネル２及び３の各奥側縁部によって左右が囲まれた開口（以下、「作業開口」ともいう）が形成されている。即ち、下方の作業領域は、この作業開口を介して昇降路７の内部に通じている。
【００２１】
８はかご床１の奥側縁部に沿って設けられた仮設巾木である。仮設巾木８は、かご床１の上面から上方に突出するように設けられ、上記作業開口の下端を塞ぐように、側面パネル２及び３の各奥側下縁部間に渡って配置されている。仮設巾木８の上方には、仮設手摺が、仮設巾木８と平行に設けられている。９は仮設手摺の中桟、１０は仮設手摺の上桟である。中桟９及び上桟１０は、上下に所定の間隔を空け、側面パネル２及び３の各奥側縁部間に渡って配置されている。
【００２２】
仮設巾木８、仮設手摺（中桟９・上桟１０）は、エレベーターの据付作業時に、作業者や作業者が扱う部品が、下方の作業領域から昇降路７内に落下することを防止するためのものである。仮設巾木８、仮設手摺（中桟９・上桟１０）は、上記作業開口を横切るように配置されている。
【００２３】
次に、図２も参照し、上記作業床装置を使用したエレベーターの据付作業について説明する。図２は図１に示す作業床装置を使用してエレベーターの据付作業を行っている時の昇降路内の状態を示す側面図である。
【００２４】
図２に示す１１は、エレベーターの据付作業時に、昇降路７内で作業床装置を昇降させるための仮設駆動機、１２はエレベーターの稼動後にかご室の昇降を案内するためのかごレール、１３は建屋に設けられたエレベーターの乗場、１４は乗場１３から昇降路７に通じる乗場出入口（乗場開口）である。
【００２５】
図１に要部を示す作業床装置は、作業者が乗ってエレベーターの据付作業を行うためのものである。作業者は、作業床装置を昇降路７の内部で組み立てると、仮設駆動機１１を昇降路７の頂部に設置し、作業床装置を仮設駆動ロープ１５を介して仮設駆動機１１に接続する。これにより、作業床装置を昇降路７内で昇降させ、任意の位置に停止させることができるようになる。
【００２６】
以下に、作業床装置と奥側の昇降路壁７ａとの間におもりレール１６を据え付ける場合について説明する。即ち、本エレベーターでは、稼動後に、つり合いおもり１７が昇降路７の奥側を昇降する。
【００２７】
おもりレール１６は、つり合いおもり１７（図１及び図２においては図示せず）の昇降を案内するためのものである。おもりレール１６は、同じ断面を有する多数のものが上下に接続されることにより、昇降路７の上下に渡って配置される。
【００２８】
作業者は、例えば、下方に配置されるおもりレール１６から芯出し作業を行う。芯出し作業では、おもりレール１６を所定の精度で鉛直方向に配置し、その状態を保持したまま、レールブラケット１８を介しておもりレール１６を昇降路７の固定体（例えば、昇降路壁７ａ）に固定する。
【００２９】
昇降路７の最下部に設置するおもりレール１６の芯出し作業を行う場合（例えば、下から一段目及び二段目のおもりレール１６を芯出しする場合）、作業者は、エレベーターの乗場１３からかご床１上に移り、仮設駆動機１１によって作業床装置を下降させる。そして、仮設駆動機１１を制御し、作業床装置を昇降路７の最下部の適切な位置に停止させる。
【００３０】
作業床装置を昇降路７の最下部に配置すると、作業者は、上記作業開口から一段目及び二段目のおもりレール１６の芯出し作業を行う。昇降路７の最下部におもりレール１６を設置すると、作業者は、仮設駆動機１１によって作業床装置を上方位置に停止させながら、順次、おもりレール１６の芯出し作業を行う。そして、最終的に、昇降路７の上下に渡って一直線状におもりレール１６を配置する。
【００３１】
上記構成の作業床装置を使用することにより、作業者は、作業床（かご床１）上に乗った状態で、昇降路７の最下部に設置するおもりレール１６の芯出し作業を行うことができ、エレベーターの据付作業の効率を大幅に向上させることができる。即ち、本作業床装置を使用すれば、従来のように、昇降路７の底面から仮設の足場２０を組み上げる必要がない。また、下方の作業領域から行わなければならない作業が全て終了した後は、仮設巾木８及び仮設手摺（中桟９・上桟１０）を取り外して、奥側パネルを設置するだけで、本設品としてのかご室の要部を組み上げることができる。
【００３２】
また、つり合いおもり１７を昇降路７内で懸架した後におもりレール１６の芯出し作業を行う場合でも、本作業床装置を使用すれば、おもりレール１６を昇降路７の上下に渡って精度良く据え付けることができる。例えば、レールブラケット１８の最適な固定位置（高さ）に合わせて作業床装置を停止させた際に、つり合いおもり１７がかご床１上の作業者と重なってしまった場合は、作業者は、天井パネル５上（かご上の作業領域）に移り、その状態で、作業床装置を下降させ、作業床装置をレールブラケット１８の最適な固定位置（高さ）に合わせて停止させれば良い。
このように、本作業床装置を使用すれば、レールブラケット１８を、昇降路７の上下に渡って最適な位置（高さ）に配置することが可能となる。
【符号の説明】
【００３３】
１  かご床
２、３  側面パネル
４  乗場側パネル
５  天井パネル
６  手摺装置
７  昇降路
７ａ  昇降路壁
８  仮設巾木
９  中桟
１０  上桟
１１  仮設駆動機
１２  かごレール
１３  乗場
１４  乗場出入口
１５  仮設駆動ロープ
１６  おもりレール
１７  つり合いおもり
１８  レールブラケット
１９  かご室作業床
２０  足場
【図１】
2012236674.tif 000003
【図２】
2012236674.tif 000004
【図３】
2012236674.tif 000005
【図４】
2012236674.tif 000006
【図５】
2012236674.tif 000007